(57)【要約】  便器表面を洗浄するための水性洗浄用組成物及び方法であって、洗浄用組成物は４未満のｐＨを有し、少なくとも１００センチポアズの粘度を有するように、塩酸のような１つの酸及び少なくとも１つの抗菌活性ジアミン界面活性剤を含む。【選択図】なし【特許請求の範囲】
【請求項１】
１つの酸、及び
少なくとも１つの抗菌活性ジアミン界面活性剤を含む表面洗浄用の水性洗浄用組成物であって、
前記水性洗浄用組成物は、４未満のｐＨ及び少なくとも１００センチポアズの粘度を有する水性洗浄用組成物。
【請求項２】
前記酸は、塩酸、リン酸、硫酸、酢酸、クロロ酢酸、クエン酸、ギ酸、プロピオン酸又はこれらの組み合わせからなるグループから選択される、請求項１に記載の水性洗浄用組成物。
【請求項３】
少なくとも１つの前記抗菌活性ジアミン界面活性剤は、一般式ＲＮ（Ｒ’ＮＨ２）２のアルキルアミノジアミンであり、前記ＲはＣ８からＣ２４のアルキル基、前記Ｒ’はＣ１からＣ５のアルキル基である、請求項１に記載の水性洗浄用組成物。
【請求項４】
前記アルキルアミノジアミンは、Ｎ−（３−アミノプロピル）−Ｎ−ドデシルプロパン−１，３−ジアミンである、請求項３に記載の水性洗浄用組成物。
【請求項５】
少なくとも１つの前記抗菌活性ジアミン界面活性剤は、一般式ＲＮＨ（Ｒ’ＮＨ）ｎＣＯＯＨのアルキルジアミノカルボン酸であり、前記Ｒは任意で酸素含有基を含んでもよいＣ１０からＣ２４のアルキル基、前記Ｒ’はＣ１からＣ５のアルキル基、ｎは１から４の数字である、請求項１に記載の水性洗浄用組成物。
【請求項６】
前記アルキルジアミノカルボン酸は、Ｎ−アルキルアミノプロピルグリシンである、請求項５に記載の水性洗浄用組成物。
【請求項７】
前記抗菌活性ジアミン界面活性剤は、抗菌剤、防カビ剤、防藻剤、抗ウイルス剤、抗微生物剤又はこれらの組み合わせからなるグループから選択される、請求項１に記載の水性洗浄用組成物。
【請求項８】
前記抗菌活性ジアミン界面活性剤は、セレウス菌、バシラス・ステアロサーモフィルス、枯草菌、気管支敗血症菌、カンピロバクター・ジェジュニ、ウェルシュ菌、コリネバクテリウム・ゼロシス、エンテロコッカス・フェシウム、エンテロコッカス・ヒラエ、エリシペロスリックス・インシディオサ、大腸菌、ヘモフィルス・プレウロニューモニエ、肺炎桿菌、ラクトバチルス・ブレビス、ラクトバチルス・カゼイ、ラクトバチルス・クルゼイ、ラクトバチルス・リンドネリ、リステリア・モノサイトゲネス、ミクロコッカス・ルテウス、パスツレラ・ムルトシダ、ペディオコッカス・ダムノサス、プロテウス・ミラビリス、緑膿菌、サルモネラ・エンテリティデス、サルモネラ・パナマ、ネズミチフス菌、セラチア・マルセスセンス、表皮ブドウ球菌、黄色ブドウ球菌、大便連鎖球菌、腸炎ビブリオ、エルシニア・エンテロコリチカ、及びこれらの組み合わせからなるグループから選択される細菌の活動を効果的に阻害し又は破壊することが可能な抗菌剤を含む、請求項７に記載の水性洗浄用組成物。
【請求項９】
前記抗菌活性ジアミン界面活性剤は、アブシディア・コリムビフェラ、アスペルギルス・フラバス、クロコウジカビ、カンジダ・アルビカンス、ゲオトリクム・カンディダム、ハンセヌラ・アノマラ、石膏状小胞子菌、モニリア属、ケカビ属（ムコール属）、ペニシリウム・イクパンザム、クモノスカビ属（リゾプス属）、ロドトルラ属、サッカロマイセス・バヤヌス、サッカロマイセス・カールスベルゲンシス、サッカロマイセス・ウバルム、出芽酵母（サッカロマイセス・セレビシエ）、サッカロマイセス・ディアスタティカス、毛瘡白癬菌、チゴサッカロミセス・バイリー、及びこれらの組み合わせからなるグループから選択される菌類の活動を効果的に阻害し又は破壊することが可能な防カビ剤を含む、請求項７に記載の水性洗浄用組成物。
【請求項１０】
前記抗菌活性ジアミン界面活性剤は、クロレラ・ピレノイドサ、デスモデスムス・スブスピカツス、セレナストルム・カプリコルヌタム、及びこれらの組み合わせからなるグループから選択される藻類の活動を効果的に阻害し又は破壊することが可能な防藻剤を含む、請求項７に記載の水性洗浄用組成物。
【請求項１１】
前記抗菌活性ジアミン界面活性剤は、Ｂ型肝炎ウイルス、ヒト免疫不全ウイルス、ロタウイルスＷａ株、ワクシニアウイルス、牛ウイルス性下痢ウイルス、Ｃ型肝炎ウイルス、単純ヘルペスウイルス、牛コロナウイルス、ＳＡＲＳウイルス、鳥インフルエンザウイルス、Ａ型インフルエンザウイルス、及びこれらの組み合わせからなるグループから選択されるウイルスの活動を効果的に阻害し又は破壊することが可能な抗ウイルス剤を含む、請求項７に記載の水性洗浄用組成物。
【請求項１２】
アミンオキシド、第四級アミン、アルコキシ化脂肪族アルコール、アルコキシ化脂肪族アミンからなるグループから選択される、少なくとも１つの界面活性剤を含む、界面活性剤混合物を有する、請求項１に記載の水性洗浄用組成物。
【請求項１３】
香料、染料又はこれらの組み合わせからなるグループから選択される、少なくとも１つの任意成分を含む、請求項１に記載の水性洗浄用組成物。
【請求項１４】
前記水性洗浄用組成物は、少なくとも２５０センチポアズの粘度を有する、請求項１に記載の水性洗浄用組成物。
【請求項１５】
１つの酸、
Ｎ−（３−アミノプロピル）−Ｎ−ドデシルプロパン−１，３−ジアミン、Ｎ−アルキルアミノプロピルグリシン又はこれらの組み合わせからなるグループから選択された１つの抗菌活性ジアミン界面活性剤、
アミンオキシド、第四級アミン、アルコキシ化脂肪族アルコール、アルコキシ化脂肪族アミンからなるグループから選択された、少なくとも１つの界面活性剤を含む１つの界面活性剤混合物、
任意で１つの香料、及び
任意で１つの染料を含む表面洗浄用の水性洗浄用組成物であって、
前記水性洗浄用組成物は、４未満のｐＨ及び少なくとも１００センチポアズの粘度を有する水性洗浄用組成物。
【請求項１６】
前記抗菌活性ジアミン界面活性剤は、Ｎ−アルキルアミノプロピルグリシンである、請求項１５に記載の水性洗浄用組成物。
【請求項１７】
前記水性洗浄用組成物は、少なくとも２５０センチポアズの粘度を有する、請求項１５に記載の水性洗浄用組成物。
【請求項１８】
１つの酸及び１つの抗菌活性ジアミン界面活性剤を含む洗浄用組成物であって、前記洗浄用組成物が４未満のｐＨ及び少なくとも１００センチポアズの粘度を有する洗浄用組成物を供給し、
汚染物質のある便器表面に洗浄用組成物を接触させ、
便器表面に供給される水流で便器表面から汚染物質と一緒に洗浄用組成物を除去することを含む、便器表面を洗浄する方法。
【請求項１９】
前記洗浄用組成物と微生物との接触により便器表面を消毒することをさらに含む、請求項１８に記載の方法。
【請求項２０】
前記水性洗浄用組成物は、少なくとも２５０センチポアズの粘度を有する、請求項１８に記載の水性洗浄用組成物。
【発明の詳細な説明】
【技術分野】
【０００１】
本発明は、硬質面、特に便器の内側表面の洗浄に用いるための洗浄用組成物に関する。洗浄用組成物は、少なくとも１つのＣ１０−Ｃ２４の抗菌活性ジアミン界面活性剤を含み、特に少なくとも１００センチポアズ（ｃｅｎｔｉｐｏｉｓｅ）の粘度増加という改良された流体流動特性を示す。
【背景技術】
【０００２】
トイレやバスルーム内のもの、特に便器のようなものの硬い表面を、効果的に消毒し洗浄する洗浄用組成物はよく知られている。典型的な洗浄用組成物は、洗浄用組成物と表面上に存在する汚染物質との間の接触を確実にするために、処理面に対し効果的な被覆を提供する。表面における効果的ではない消毒と洗浄は、特に便器の内側表面については、前述のような接触が実現できていないことによる結果である。急勾配の便器表面に関しては、粘着性洗浄用組成物が、便器の特に直立した内側表面に対し優れた被覆性と保持性とを提供することが可能である。残念なことに、洗浄用組成物の拡散や表面の濡れ特性の調整のために様々な界面活性剤を添加することは、洗浄用組成物の粘度低下を招くことになる。便器の内側表面に用いられた場合の組成物の粘度低下は、便器内側を滑り落ちる、典型的には多くのより小さな別々の流路や細流に分離する塗布液の層又は薄膜によって特徴付けられる。液体の流路や細流の間にある便器の内側表面の領域は、便器の未処理部分を形成する。また、知られている洗浄用組成物の成分は、便器表面を流れるにつれて分離する傾向があり、これにより洗浄用組成物の有効性を低下させることになる。
【０００３】
洗浄用組成物の再塗布や、たとえば便器ブラシのような機械装置の使用のような技術は、未処理領域に組成物を拡散させるために利用可能である。これら両オプションの利用は、洗浄用組成物の流体特性の欠点を克服する試みとして、洗浄工程をさらに追加することになる。追加工程は必ずしも洗浄用組成物の有効性を向上させるものではなく、そのために追加の洗浄用組成物が必要になることに加え、機械装置が必要になるという点で、無駄になりうる。
【発明の概要】
【発明が解決しようとする課題】
【０００４】
組成物が、硬質面、特に洗面所設備に対し、洗浄や任意で消毒効果を提供することは本技術分野において周知であるが、それにもかかわらず、本技術分野には、処理済みの硬質面に対して、改善された洗浄性や望ましくは衛生性又は消毒性の同時的効果をも提供する、更に改善された組成物を提供するという現実の継続的な必要性が存在する。特に、上述した不便さを克服するために、容器、特に搾り容器から、垂直な又は傾斜した硬質面に塗布された場合に表面に被覆を提供できるように改善された粘度のような流体流動特性を備えた、硬質面処理に有用な液体洗浄用組成物及び方法を有することが望ましい。
【課題を解決するための手段】
【０００５】
本発明の一態様は、４未満のｐＨを有し、塩酸のような酸を含む、表面洗浄用の水性洗浄用組成物を提供する。洗浄用組成物はまた、水性洗浄用組成物の粘度を少なくとも１００センチポアズに増加させるために効果的な、少なくとも１つの抗菌活性ジアミン界面活性剤をさらに含む。
【０００６】
本発明の他の態様は、塩酸とＮ−（３−アミノプロピル）−Ｎ−ドデシルプロパン−１，３−ジアミン又はＮ−アルキルアミノプロピルグリシンのような、少なくとも１つの抗菌活性ジアミン界面活性剤を含む、４未満のｐＨの水性酸性洗浄用組成物を提供する。界面活性剤混合物は洗浄用組成物の一部としてさらに含まれ、個別に、又は組み合わせられて、アミンオキシド界面活性剤、第四級アミン界面活性剤、アルコキシ化脂肪族アルコール界面活性剤、又はアルコキシ化脂肪族アミン界面活性剤を含む。洗浄用組成物の任意成分は香料と染料とを含む。上記水性酸性洗浄用組成物の粘度は驚くほど高く、１００センチポアズを超える。
【０００７】
本発明のさらに他の態様は、洗浄用組成物が４未満のｐＨ、少なくとも１００センチポアズの粘度を有するように、酸及び抗菌活性ジアミン界面活性剤を有する水性洗浄用組成物を提供し、洗浄用組成物と汚染物質を有する便器表面とを接触させ、トイレを水洗することによって便器表面に供給される水で便器表面から汚染物質と一緒に洗浄剤組成物を除去することを含む、便器表面を洗浄するための方法を提供する。
【発明を実施するための形態】
【０００８】
関連出願の相互参照
本特許協力条約国際特許出願は、２０１０年２月２４日に出願された米国仮特許出願番号６１／３０７５６０の利益を主張し、これによりその内容全体を本出願に引用し援用する。
【０００９】
本発明の洗浄用組成物は、（１）組成物に約４以下のｐＨを与えるのに十分な量の活性酸成分、（２）抗菌活性ジアミン界面活性剤、（３）個別に、又は組み合わせにより、アミンオキシド、第四級アミン、アルコキシ化脂肪族アルコール、アルコキシ化脂肪族アミンのような界面活性剤及び共界面活性剤を含む界面活性剤混合物、（４）脱イオン水のような水、及び任意に（５）香料、そして（６）水溶性染料を含む。洗浄用組成物は、表面消毒や衛生化の面で優れた洗浄性能を有しており、表面拡散と接触、表面粘着、表面接触時間の面で改良された流動特性を示すように、増粘剤が無くても、驚くほど高い粘度を備えている。
【００１０】
本発明の組成物は、本質的に酸性であり、本発明の組成物のｐＨを４未満とするために十分な量である少なくとも１つの無機及び／又は有機酸を含む。一般的に、有用な無機酸には、水溶性の無機及び鉱酸が含まれている。有用な酸の非限定的な例には、塩酸、リン酸、硫酸などが個別に、又は組み合わせにより含まれる。
【００１１】
有機酸については、非限定的な例として、本発明の組成物において有効であるとみなされ得る既知の有機酸はどのようなものでも含まれる。一般的に有用な有機酸は、少なくとも１つの炭素原子を含み、その構造内に少なくとも１つのカルボキシル基（−ＣＯＯＨ）を含む。より具体的には、有用な有機酸は、１個から約６個の炭素原子を含み、少なくとも１つのカルボキシル基を有し、水溶性である。非限定的な例として、酢酸、クロロ酢酸、クエン酸、ギ酸、プロピオン酸などが含まれる。
【００１２】
本発明の一実施形態において、唯一存在する酸は塩酸であり、他の酸は除外される。本発明に使用する有効な塩酸含有成分の適切な範囲は、本発明の組成物中の純粋な塩酸（１００％）に対し、重量で約２％から２０％である。
【００１３】
酸に加えて、本発明の組成物は、少なくとも１つの抗菌活性界面活性剤を含む。このような界面活性剤は、本発明の洗浄用組成物に消毒と衛生面で効果を与える。本発明の抗菌活性界面活性剤は、非イオン性、両性、又は双性イオン性の界面活性剤となりうる、Ｃ１０−２０アルキルジアミンを含む。
【００１４】
一般的に、抗菌活性界面活性剤は、有害微生物の成長を阻害し、及び／又は有害微生物を破壊するのに有効である抗菌剤又は殺生物剤を含む。特に興味深いのは、細菌、菌類、藻類、ウイルスのような、周知の一般的に発生する望ましくない微生物に対する有効性が実証されている界面活性剤であり、それぞれ抗菌剤、抗カビ剤、抗藻剤、抗ウイルス剤として指定されている。一般に複数のタイプの微生物に対して有効である抗菌活性界面活性剤は、抗微生物剤として知られている。
【００１５】
非限定的な例として、抗菌剤として作用する抗菌活性界面活性剤が効果的に阻害又は破壊し得る細菌のリストには、セレウス菌、バシラス・ステアロサーモフィルス、枯草菌、気管支敗血症菌、カンピロバクター・ジェジュニ、ウェルシュ菌、コリネバクテリウム・ゼロシス、エンテロコッカス・フェシウム、エンテロコッカス・ヒラエ、エリシペロスリックス・インシディオサ、大腸菌、ヘモフィルス・プレウロニューモニエ、肺炎桿菌、ラクトバチルス・ブレビス、ラクトバチルス・カゼイ、ラクトバチルス・クルゼイ、ラクトバチルス・リンドネリ、リステリア・モノサイトゲネス、ミクロコッカス・ルテウス、パスツレラ・ムルトシダ、ペディオコッカス・ダムノサス、プロテウス・ミラビリス、緑膿菌、サルモネラ・エンテリティデス、サルモネラ・パナマ、ネズミチフス菌、セラチア・マルセスセンス、表皮ブドウ球菌、黄色ブドウ球菌、大便連鎖球菌、腸炎ビブリオ、エルシニア・エンテロコリチカが含まれる。
【００１６】
非限定的な例として、抗カビ剤として作用する抗菌活性界面活性剤が効果的に阻害又は破壊し得るカビや酵母を含む菌類のリストには、アブシディア・コリムビフェラ、アスペルギルス・フラバス、クロコウジカビ、カンジダ・アルビカンス、ゲオトリクム・カンディダム、ハンセヌラ・アノマラ、石膏状小胞子菌、モニリア属、ケカビ属、ペニシリウム・イクパンザム、クモノスカビ属、ロドトルラ属、サッカロマイセス・バヤヌス、サッカロマイセス・カールスベルゲンシス、サッカロマイセス・ウバルム、出芽酵母、サッカロマイセス・ディアスタティカス、毛瘡白癬菌、チゴサッカロミセス・バイリーが含まれる。
【００１７】
非限定的な例として、殺藻剤として作用する抗菌活性界面活性剤が効果的に阻害又は破壊し得る藻類のリストには、クロレラ・ピレノイドサ、デスモデスムス・スブスピカツス、セレナストルム・カプリコルヌタムが含まれる。
【００１８】
非限定的な例として、抗ウイルス剤として作用する抗菌活性界面活性剤が効果的に阻害又は破壊し得るウイルスのリストには、Ｂ型肝炎ウイルス、ヒト免疫不全ウイルス、ロタウイルスＷａ株、ワクシニアウイルス、牛ウイルス性下痢ウイルス、Ｃ型肝炎ウイルス、単純ヘルペスウイルス、牛コロナウイルス、ＳＡＲＳウイルス、鳥インフルエンザウイルス、Ａ型インフルエンザウイルスが含まれる。
【００１９】
本発明の抗菌活性ジアミン界面活性剤は、抗菌活性に加えて、液体洗浄用組成物の粘度もまた驚くほど上昇させる。抗菌活性界面活性剤には、両性又は双性イオン性界面活性剤となりうる、Ｃ１０−Ｃ２４アルキルジアミンが含まれる。そのような抗菌活性ジアミン界面活性剤を酸性水性洗浄用組成物に含めることは、便器表面を消毒する優れた抗菌活性を提供するだけでなく、従来型の殺生物性界面活性剤を使用した同様の洗浄用組成物に比べてさらに洗浄用組成物粘度の相当な上昇をもたらす。
【００２０】
一般的に知られている洗浄用組成物は、典型的には、一般式：ＲＲ’Ｎ＋（ＣＨ３）２Ｃｌ−の第四級アンモニウム界面活性剤のような、従来型の殺生物性界面活性剤を含んでいる。Ｒ及びＲ’は、Ｃ１０−Ｃ２０のような独立した別個のアルキル直鎖を表す。第四級アンモニウム殺生物性界面活性剤を含む洗浄用組成物は、典型的には約１２．５センチポアズの粘度を有する。また、そのような洗浄用組成物配合の個々の成分は使用時に分離する傾向がある。比較では、抗菌活性ジアミン界面活性剤を同等量含む洗浄用組成物は、少なくとも１００センチポアズの粘度を有する。
【００２１】
抗菌活性と少なくとも１００センチポアズという非常に高い粘度とを同時に備えた洗浄用組成物を提供する、代表的な抗菌活性ジアミン界面活性剤には、アルキルアミノジアミンやアルキルジアミノカルボン酸が含まれるが、これらに限定されない。適切なアルキルアミノジアミン界面活性剤は、ＲＮ（Ｒ’ＮＨ２）２という化学式を有しており、ＲはＣ８からＣ２４のアルキル基、２つのアミン基（ＮＨ２）各々は異なる炭素原子に結合し、Ｒ’はＣ１からＣ５の低級アルキル基である。本発明の洗浄用組成物に有用である抗菌活性アルキルアミノジアミン界面活性剤の具体的であるが、非限定的な例には、ロンザ社によって商品名ロンザバック（Ｌｏｎｚａｂａｃ）（登録商標）で販売されているＮ−（３−アミノプロピル）−Ｎ−ドデシルプロパン−１，３−ジアミンがある。
【００２２】
アルキルアミノジアミン界面活性剤に加えて、適切なアルキルジアミノカルボン酸界面活性剤は、化学式ＲＮＨ（Ｒ’ＮＨ）ｎＣＯＯＨを持つ。Ｒは、カルボニル、エーテル、アルコール等を含むがこれらに限定されるものではない酸素含有基を任意で含むＣ１０からＣ２４のアルキル基である。Ｒ’はＣ１からＣ５の低級アルキル基である。数字のｎは、アルキルアミノジアミン界面活性剤が、少なくとも２つのアミン基を含むような、１から４までの可変の整数である。１つがアミノ酸基である複数のアミン基を有する化合物の非限定的な例は、たとえば、６−ドデシル−２，６−ジアザヘキサン−１−カルボン酸のようなグリシンが含まれる。あるいは、メチルカルボキシル基は、いくつかが任意で複数のカルボキシル基を有するアミノ酸基を形成するために、アミン水素を置換することができる。
【００２３】
本発明の洗浄用組成物中に使用するのに適切なアルキルジアミノカルボン酸界面活性剤は、その内容全体が参照により本明細書の一部として引用され援用されている、両性界面活性剤の合成方法という名称のグリュニングらの米国特許第５，４９１，２４５号に記載されている、アミンの部分的又は完全なカルボキシメチル化もさらに含む。米国特許第５，４９１，２４５号に記載されているように、化学式１のアミンは、アンフォグリシネート、ポリベタイン、グリシン等を含むがこれらに限定されるものではない両性界面活性剤を生成するため、クロロ酢酸やその塩のようなハロゲンアルキルカルボン酸と反応させられる。米国特許第５，４９１，２４５号において開示されている化学式１アミンの非限定的な例としては、化学式Ａ、Ｂ、Ｃがある。米国特許第５，４９１，２４５号において開示されている有用なアルキルジアミノカルボン酸界面活性剤のより具体的な例には、エボニックインダストリーズ社によって商品名レオシド（ＲＥＷＯＣＩＤ）ＷＫ３０として販売されている両性界面活性剤であり、Ｎ−アルキルアミノプロピルグリシンである、アミン、Ｎ−Ｃ１０−１６−アルキルトリメチレンジとクロロ酢酸の反応生成物が含まれる。
【００２４】
代表的な洗浄用組成物は、抗菌活性ジアミン界面活性剤を含有するほか、個々の界面活性剤又は界面活性剤混合物もさらに含む。一般的に実施されるように、界面活性剤は液体と硬質面との間の界面張力を変えるために界面活性化剤として使用される。このような界面活性化剤は、典型的には疎水基と親水基との両方を含んでいる。いかなる特定の理論に拘束されることなく、これらの界面活性剤は、液体自体の表面張力を低下させ、硬質面での界面張力を低下させる湿潤剤として働き、拡散を容易にする。洗浄用組成物の硬質面接触や拡散のような特性を制御するのに有用な界面活性剤には、陰イオン性、陽イオン性、非イオン性、両性、及び双性イオン性界面活性剤又は界面活性剤の適切な組み合わせがあり得る。また、多くの個々の界面活性剤は、抗菌活性ジアミン界面活性剤を阻害することなく、効果的な表面消毒性を維持しながら、洗浄剤濃度、硬質面での拡散や粘着性の面で最適な流体特性や性能を発揮させるように混合させることが可能である。
【００２５】
本発明の洗浄用組成物は、アミンオキシド、第四級アミン、アルコキシ化脂肪族アルコール、アルコキシ化脂肪族アミンのような界面活性剤と共界面活性剤とを、個別に、又は組み合わせにより有する、界面活性剤混合物を含む。一実施形態において、界面活性剤混合物は、１種以上の陽イオン性共界面活性剤との組み合わせで、１種以上のアルキルジメチルアミンオキシド界面活性剤を含む。任意の分岐を有する長鎖アルキルアミンオキシドは、非イオン性界面活性剤として使用され、一般式ＲＮＯを持っている。ＲはＣ１０からＣ２４の直線状のｎ−アルキルである。界面活性剤混合物に用いることができるｎ−アルキルジメチルアミンオキシド界面活性剤の適切な混合物には、少なくとも２つのそのようなアミンオキシド界面活性剤が含まれている。約６０％のＮ、Ｎ−ジメチルテトラデカン−１−アミンオキシド及び約４０％のＮ、Ｎ−ジメチルヘキサデカン−１−アミンオキシドを含む、ｎ−アルキルジメチルアミンオキシドの混合物は、界面活性剤混合物として利用することができる。また、組合せ又は混合物は、低鎖長又は高鎖長のアルキルジメチルアミンオキシド少量を含み得る。他の実施形態では、界面活性剤混合物は、例えばエトキシ化脂肪族アルコール及びエトキシ化脂肪族アミンの混合のような、アルコキシ化脂肪族アルコール、アルコキシ化脂肪族アミンを含む界面活性剤の混合となる。
【００２６】
界面活性剤混合物は、アミンオキシド又はその混合物に加えて、１つ以上の陽イオン性界面活性剤を含むことが可能である。適切な陽イオン性界面活性剤は、一般式ＲＲ’３Ｎ＋（ＣＨ３）２Ｃｌ−の第４級アンモニウム化合物を含む。ＲはＣ１０−Ｃ２０のような長いアルキル直鎖を表し、Ｒ’はＣ１−Ｃ３のような短いアルキル直鎖を表す。第四級アンモニウム界面活性剤のより具体的な例は、商品名アーカード（Ａｒｑｕａｄ）（登録商標）でアクゾ・ノーベル・サーフェス・ケミストリー社によって販売されているヘキサデシル（トリメチル）アンモニウムクロライドである。
【００２７】
界面活性剤混合物は、固体表面上の液体拡散、固体表面への液体粘着性、液体可塑性、及び硬質面上の液体の重力流動の点で、洗浄用組成物の流体特性を調整するために適合可能である。いかなる特定の理論に拘束されるものではないが、そのような調整は、液体と界面の表面張力を制御することによって実現される。本発明の洗浄用組成物に有用な界面活性剤混合物の非限定的な例には、ｎ−アルキルジメチルアミンオキシド混合物が約７０％−８０％、たとえば約７５％で、その残り約２５％はｎ−アルキル（トリメチル）アンモニウムクロライドからなるものが含まれる。
【００２８】
本発明で利用可能なその他の水溶性界面活性剤混合物は、アルコキシ化脂肪族アルコール、アルコキシ化脂肪族アミン、これらのアルコール及びアミンのブレンドを含む。アルコキシ化脂肪族アルコールは、一般的に界面活性剤の非イオン性又は陽イオン性の類型として商業的に知られており、一般式ＲＯＨ（Ｒ’Ｏ）ｎＨを持つ。ＲはＣ８からＣ２４の直鎖状又は分岐状のアルキル基であり、Ｒ’はＣ１からＣ５のアルキル基であり、ｎは１から３０、又はそれ以上の範囲であり得る数値である。このタイプのアルコール界面活性剤は、アルコキシ化脂肪族アルコールの混合物を生成するため、第一級又は第二級の高級アルコールを、１８モルまでのアルキルオキシド又はそれ以上のものと縮合された縮合生成物となり得る。脂肪酸鎖の長さやアルコキシ化の度合は、界面活性剤の正しい疎水性と親水性の特性を達成するために様々に変えることが可能である。様々な量のエチレンオキシドで縮合されたラウリル又はミリスチルアルコールの生成物のようなエトキシ化脂肪族アルコールは、本発明の洗浄用組成物に有益有用なアルコキシ化脂肪族アルコールの非限定的な例である。
【００２９】
アルコキシ化脂肪族アミンとして、これらのアミンは、一般的に界面活性剤の陽イオン性の種類としても商業的に知られており、一般式ＲＮＨ（Ｒ’Ｏ）ｎＨを有する。ＲはＣ８からＣ２４の直鎖状又は分岐状のアルキル基であり、Ｒ’はＣ１からＣ５のアルキル基であり、ｎは１から３０又はそれ以上の範囲を取りうる数値である。この類型のアミン界面活性剤は、エトキシ化脂肪族アミンの混合物を生成するため、第一級、第二級、又は第三級脂肪族アミンが、１８モルまでのエチレンオキシド又はそれ以上のものと縮合された縮合生成物となり得る。脂肪酸鎖の長さやエトキシ化の程度は、界面活性剤の正しい疎水性と親水性との特性を達成するために様々に変えることが可能である。様々な量のエチレンオキシドで縮合されたラウリル又はミリスチルアルコールの生成物のようなエトキシ化脂肪族アルコールは、本発明の洗浄用組成物に有益有用なアルコキシ化脂肪族アルコールの非限定的な例である。
【００３０】
前述したように、界面活性剤混合物は、個々の界面活性剤であってもよく又は界面活性剤の混合であってもよい。アルコキシ化脂肪族アルコール及びアルコキシ化脂肪族アミンの有用なブレンドは、エトキシ化脂肪族アルコール及びエトキシ化脂肪族アミンのブレンドであってもよい。本発明の洗浄用組成物に有益に用いることが可能なエトキシ化脂肪族アルコール及びエトキシ化脂肪族アミン界面活性剤の混合のような非限定的な例としては、商品名アリポン（ＡＲＬＹＰＯＮ）（登録商標）ＶＰＣとしてコグニス社により販売されている界面活性剤が含まれる。
【００３１】
洗浄用組成物はまた、任意で香料や染料のような追加の成分を含めることも可能である。これらの追加成分は、エンドユーザーの消費者にとって組成物をより魅力的にするため、組成物の香りと外観とを向上させるため、洗浄用組成物に含めることができる。洗浄用組成物中で用いるのに適している従来の臭気化合物には香料やより複雑な香水がある。香料及び香水は天然のもの又は人工的に合成可能なものであってもよく、個々の化合物や化学物質又はこれらの組み合わせにすることも可能である。洗浄用組成物中に使用するのに適した香料及び香水には、酸互換性及び酸安定性のある化合物が含まれる。このような香料の非限定的な例には、高砂香料工業株式会社によって販売されているＴＮＦ４７０７がある。適切な酸安定性のある香料は、約０．０５％から１．０％の水準まで含まれてもよい。
【００３２】
香料のほかに、組成物の外観を変更してユーザーを楽しませる色と色合いを生成するために有用である１つ以上の着色剤を、洗浄用組成物に添加することができる。着色剤は、処理済み表面、特に便器の内側表面に塗布された洗浄用組成物の視認性の向上にも有用である。洗浄用組成物着色剤として有用な既知の顔料及び染料には、食品・医薬品・化粧品（ＦＤ＆Ｃ）向け米国食品医薬局のリストの承認済み染料が含まれるが、これらに限定されるものではない。一般的に、非常に少量の酸安定性着色剤は洗浄用組成物に色を付けるのに有用である。洗浄用組成物の着色剤の例としては、約０．００５％で添加されるアシッドブルー９が含まれる。
【００３３】
［用途と使用］
【００３４】
上述した洗浄用組成物は、便器クリーナーとして用いられる粘性のある液体である。便器クリーナーとして、洗浄用組成物を用いる方法は、以下の工程を含む：ｉ）酸と抗菌活性ジアミン界面活性剤とを含む洗浄用組成物、４未満のｐＨと少なくとも１００センチポアズの粘度とを有する洗浄用組成物を提供すること、ｉｉ）便器表面に付着した汚染物質を有する便器表面の汚れた部分と洗浄用組成物とを接触させる工程、及び、ｉｉｉ）トイレを水洗することによって表面に供給される水流で、便器表面の汚れた部分から汚染物質と一緒に洗浄用組成物を除去する工程。
【００３５】
また、便器表面を消毒洗浄する便器クリーナー及び表面に洗浄用組成物を用いる方法は、洗浄用組成物と便器表面上の微生物との接触を通して便器の内側表面のような表面を消毒することをさらに含む。
【００３６】
［配合］
【００３７】
抗菌活性ジアミン界面活性剤を有する本発明の洗浄用組成物が１００センチポアズより大きい液体粘度を有することを示すため、本発明に係る洗浄用組成物の例を以下に記載する。当分野の技術者には、本発明の洗浄用組成物は、多くの一般的に知られている望ましくない微生物に対して有効である抗菌活性ジアミン界面活性剤を有する適切な水性酸性組成物となりうることが理解されるであろう。
【００３８】
水のほかに、酸は重量ベースで洗浄用組成物の主要な成分である。塩酸は、洗浄用組成物を酸性化するために使用される典型的な酸である。
【００３９】
水や酸に加えて、洗浄用組成物は、多くの異なるタイプの界面活性剤を含む。界面活性剤の１つは、抗菌活性ジアミンである。このタイプの界面活性剤は、表面を洗浄し消毒するように作用するだけでなく、本発明の洗浄用組成物に含まれる場合、そのジアミン界面活性剤は洗浄用組成物の粘度を大きく上昇させる。抗菌活性ジアミン界面活性剤は、Ｎ−（３−アミノプロピル）−Ｎ−ドデシルプロパン−１，３−ジアミン（ロンザバック（Ｌｏｎｚａｂａｃ）（登録商標）−１２．１００）のような、アルキルアミノジアミン界面活性剤、及び、アミン、Ｎ−Ｃ１０−１６−アルキルトリメチレンジとクロロ酢酸（レオシド（ＲＥＷＯＣＩＤ）ＷＫ３０）の反応生成物のようなアルキルジアミノカルボン酸界面活性剤を含むが、これらに限定されない。
【００４０】
界面活性剤混合物は、抗菌活性ジアミン界面活性剤に加え、多くの追加界面活性剤をさらに含むことが可能であり、本発明の洗浄用組成物の一部である。このような界面活性剤及び混合物は、洗浄用組成物の流動や表面相互作用性のような流体特性を変えるために用いられる。この点で、適切な界面活性剤混合物は、約６０％のＮ、Ｎ−ジメチルテトラデカン−１−アミンオキシドと４０％のＮ、Ｎ−ジメチルヘキサデカン−１−アミンオキシド（アンモニックス（Ａｍｍｏｎｙｘ）（登録商標）Ｘ２１８２）のブレンドのような、約７５重量％のアルキルジメチルアミンオキシドと、ヘキサデシル（トリメチル）アンモニウムクロライド（アーカード（Ａｒｑｕａｄ）（登録商標）１６−２９）のような第四級アンモニウム界面活性剤を約２５重量％含む。
【００４１】
当分野の技術者には、洗浄用組成物は、香料及び／又は着色剤のような任意成分をさらに含むことが可能であると理解されるであろう。水性酸性洗浄用組成物中に用いるのに適した酸可溶性及び酸安定性の香料には、高砂香料工業株式会社によって販売されている高砂ＴＮＦ４７０７が含まれるが、これに限定されない。そのような洗浄用組成物中に用いるのに適した着色剤や染料には、アシッドブルー９が含まれるが、これに限定されない。
【００４２】
本発明に係る洗浄用組成物の配合の一例は次のとおりである。
【００４３】
【表１】
2013520551.tif 000002
【００４４】
（１）界面活性剤混合物は、確認された各界面活性剤を個別に、又は他の確認された界面活性剤との組み合わせにより含むことができる。
【００４５】
［実験結果］
【実施例１】
【００４６】
実施例１：特定の洗浄用組成物配合の試料が、様々な成分の混合を含む一連の手順を用いて調合された。洗浄用組成物調合のためのどの特定のやり方にも拘束されることなく、どのように本実施例の洗浄用組成物が調合されたかについて記述する。
【００４７】
最初の酸性水溶液は、脱イオン水に塩酸（３２％）を混合することにより調合された。界面活性剤混合物が酸性水溶液に添加された。実験では界面活性剤の添加は特定の順序でなされたが、界面活性剤混合物の添加は、多くのやり方で進めることが可能である。１つの方法は、個々の界面活性剤を一緒に添加して混合し、それから酸性水溶液に界面活性剤混合物を添加するやり方である。あるいは、個々の界面活性剤をそれぞれ酸性水溶液中に直接添加し混合することも可能である。界面活性剤混合物又は直接酸性水溶液中への個々の界面活性剤の添加の順序は様々なものが可能である。しかしながら、洗浄用組成物の特性は、添加が個別であっても混合物としてであっても、酸性水溶液への界面活性剤の添加の順序とは無関係であると考えられている。
【００４８】
この実施例では、界面活性剤混合物を構成する個々の界面活性剤成分は、酸性水溶液に直接添加され、溶液は次の界面活性剤成分が添加される前に混ぜ合わせられた。最後の界面活性剤が添加された後に、得られた酸性水溶液もまた混ぜ合わせられた。この実施例ではより具体的には、第四級アミン（アーカード（Ａｒｑｕａｄ）（登録商標）１６−２９）が酸性水溶液に添加され、得られた溶液が混ぜ合わせられ、その後アミンオキシド混合物（アンモニックス（Ａｍｍｏｎｙｘ）（登録商標）Ｘ２１８２）が添加され、得られた溶液が混ぜ合わせられた。
【００４９】
界面活性剤混合物の添加後、酸性水溶液への任意成分、香料及び色が添加された。香料、高砂ＴＮＦ４７０７が添加され、溶液が混ぜ合わせられた。次に染料、アシッドブルー９が添加され、得られた溶液が混ぜ合わせられた。
【００５０】
酸性水溶液に抗菌活性ジアミン界面活性剤が添加される前に、溶液の視覚的及び物理的特性が観察され、測定された。溶液中に存在する成分を混ぜ合わせた後に観察された視覚的特徴は、成分の分離であった。測定された溶液の物理的特性は、１２．５センチポアズという比較的低い粘度であった。
【００５１】
洗浄用組成物を生成するため、比較的低粘度の酸性溶液に添加される最後の成分は、抗菌活性ジアミン界面活性剤であった。ロンザバック（Ｌｏｎｚａｂａｃ）（登録商標）１２．１００（９０％活性）は、この最初の実施例で用いられた抗菌活性ジアミン界面活性剤であった。ジアミン界面活性剤が添加された後、溶液は混ぜ合わされた。また、追加の脱イオン水は、他の実施例の配合との比較のため、洗浄用組成物の仕上げのために必要に応じて添加され混ぜ合わされた。
【００５２】
酸性水溶液に抗菌活性ジアミン界面活性剤を添加し、混合したところ、結果として得られた洗浄用組成物の視覚的及び物理的特性の面で、劇的な驚くべき結果がもたらされた。この実施例では、結果として得られた洗浄用組成物は、成分分離が観察されなかったという点で、優れた成分安定性を示した。また、洗浄用組成物の粘度は、抗菌活性ジアミン界面活性剤が添加される前の溶液粘度である１２．５センチポアズを大幅に上回る、２７５センチポアズという驚くべき高い値であった。このように、約２６０センチポアズという粘度増加は、ロンザバック（Ｌｏｎｚａｂａｃ）（登録商標）１２．１００界面活性剤の添加に起因するものであった。
【００５３】
実施例１の洗浄用組成物の配合は次のとおりである。
【００５４】
【表２】
2013520551.tif 000003
【００５５】
（１）抗菌活性ジアミン界面活性剤はロンザバック（Ｌｏｎｚａｂａｃ）（登録商標）−１２．１００（９０％活性）である。
【実施例２】
【００５６】
実施例２：洗浄剤組成物の第二配合が調合された。第二配合例を調合するために使われたやり方は、前述の実施例の組成物を調合するために用いられたものと同じであった。再び、抗菌活性ジアミン界面活性剤を添加する前に、酸性水溶液が調合された。この第二配合溶液もまた、脱イオン水、塩酸（３２％）、界面活性剤混合物（アーカード（Ａｒｑｕａｄ）（登録商標）１６−２９及びアモニックス（登録商標）Ｘ２１８２）、香料（高砂ＴＮＦ４７０７）及び染料（アシッドブルー９）を含有していた。成分は列挙された順番で添加され混ぜ合わせられた。
【００５７】
前出の実施例にあるように、酸性水溶液に抗菌活性ジアミン界面活性剤が添加される前に、溶液の視覚的及び物理的特徴の観察及び測定が行われた。混合後、再び視覚的観察が行われ、溶液中の成分が分離し始めることが確認され、溶液の不安定性が明らにとなった。物理的特徴については、前出の実施例と同じように、測定された溶液粘度は比較的低い１２．５センチポアズというものであった。
【００５８】
最初の実施例にあるように、再び抗菌活性を有するジアミン界面活性剤が比較的低粘度の溶液に添加され混ぜ合わせられた。この実験で使用された抗菌活性ジアミン界面活性剤はレオシド（ＲＥＷＯＣＩＤ）ＷＫ（３０％活性）であった。
【００５９】
酸性水溶液に抗菌活性ジアミン界面活性剤を添加し、混合したところ、視覚的及び物理的特性の面で、劇的かつ全く驚くべき結果がもたらされた。この実施例については、成分分離が観察されなかったという点で、結果として得られた洗浄用組成物は優れた成分安定性を示した。また、最初の実施例で測定された粘度よりもさらに高い高粘度が観察された。洗浄用組成物の粘度は予想外の上昇で４３８センチポアズに達したが、これは抗菌活性ジアミン界面活性剤が添加される前の溶液粘度１２．５センチポアズから相当な上昇となった。したがって、洗浄用組成物粘度における約４２５センチポアズの上昇は、レオシド（ＲＥＷＯＣＩＤ）ＷＫ（３０％活性）界面活性剤の添加に起因するものであった。
【００６０】
実施例２の洗浄用組成物の配合は次のとおりである。
【００６１】
【表３】
2013520551.tif 000004
【００６２】
（１）抗菌活性ジアミン界面活性剤はレオシド（ＲＥＷＯＣＩＤ）ＷＫ（３０％活性）である。
【実施例３】
【００６３】
実施例３：洗浄用組成物の別の配合が調合された。この第三配合を調合するための手法は、上述した前の実施例で使用された手法と同様のものであった。第三配合用に、殺生物性界面活性剤を加える前に酸性水溶液が調合された。この実施例では、殺生物性界面活性剤は、実施例１及び実施例２で用いられた抗菌活性ジアミン界面活性剤とは、まったく異なる第四級アミンであった。
【００６４】
他の実施例のように、酸性水溶液には、脱イオン水、塩酸（３２％）、界面活性剤混合物（アーカード（Ａｒｑｕａｄ）（登録商標）１６−２９とアモニックス（Ａｍｍｏｎｙｘ）（登録商標）Ｘ２１８２）、香料（高砂ＴＮＦ４７０７）、染料（アシッドブルー９）が含まれていた。本実施例の成分は列挙された順番で添加され混ぜ合わせられた。これは前の実施例で用いられた手順と同じものである。
【００６５】
酸性水溶液に殺生物性界面活性剤が添加される前に、再び溶液の視覚的及び物理的特徴の観察測定が行われた。前出の２つの実施例とは異なり、殺生物性界面活性剤が添加される前と後とでは、溶液の視覚的及び物理的特徴の本質的変化は観察されなかった。この実施例については、最終的な不安定な混合溶液の成分が互いに物理的に分離する様子が観察された。溶液粘度の測定値は変化せず、比較的低い１２．５センチポアズであった。
【００６６】
実施例３で使用された殺生物性第四級アミン界面活性剤は、実施例１及び２で使用された抗菌活性ジアミン界面活性剤とは、化学的には別物であった。そうであったとしても、同等量の殺生物性第四級アミン界面活性剤が、比較的低粘度の酸性水溶液に添加され混ぜ合わせられた。この実施例については、前の実施例での抗菌活性ジアミン界面活性剤の場合に用いられたレベルと同等のレベルである、０．３００重量パーセント濃度の殺生物性界面活性剤（アーカード（Ａｒｑｕａｄ）（登録商標）２．１０（５０％活性））が溶液に加えられた。ただし、この第三配合については、粘度については変化が無いことに留意されたい。また、殺生物性第四級アミン界面活性剤が添加される前と後との両方において、最終的に得られた洗浄用組成物の成分が分離することが観察された。したがって、アーカード（Ａｒｑｕａｄ）（登録商標）２．１０界面活性剤の添加は、洗浄用組成物粘度と成分分離の両方において、影響が無いか、あったとしても最小限のものとなった。
【実施例４】
【００６７】
実施例４：洗浄用組成物の第四配合には、前の実施例とは異なる界面活性剤混合物が含まれることとなった。第四配合を調合するにあたって用いられた手法は、異なる界面活性剤混合物であることを除けば上述した前の実施例で用いられている手法と同様のものであった。第四配合については、実施例２で使用された界面活性剤と同じものである、抗菌活性ジアミン界面活性剤レオシド（ＲＥＷＯＣＩＤ）ＷＫ（３０％活性）が添加される前に、酸性水溶液が調合された。
【００６８】
この実施例では、酸性水溶液には、脱イオン水、塩酸（３２％）、界面活性剤混合物（アリポン（ＡＲＬＹＰＯＮ）（登録商標）ＶＰＣ）、香料（ノースマン（Ｎｏｒｓｅｍａｎ））、染料（アシッドブルー９）が含まれていた。本実施例の成分は、前の実施例で用いられた手法と矛盾しないやり方で添加され混ぜ合わせられた。
【００６９】
この洗浄用組成物配合で使用された抗菌活性ジアミン界面活性剤は、実施例２のように、再びレオシド（ＲＥＷＯＣＩＤ）ＷＫ（３０％活性）であった。
【００７０】
洗浄用組成物を生成するために、抗菌活性ジアミン界面活性剤を酸性水溶液に添加したところ、視覚的及び物理的特性が改善された。この実施例に関しては、成分分離が観察されなかったという点で、最終的に得られた洗浄用組成物は高い成分安定性を示した。また、４１３センチポアズという比較的高い粘度が測定された。この粘度は、界面活性剤アリポン（ＡＲＬＹＰＯＮ）（登録商標）ＶＰＣのみを含む酸性水溶液の粘度を超えるものであった。したがって、この実施例は、この実施例ではレオシド（ＲＥＷＯＣＩＤ）ＷＫ（３０％活性）であった抗菌活性ジアミン界面活性剤に起因する粘度の驚くべき上昇を再び示している。
【００７１】
実施例４の洗浄用組成物の配合は次のとおりである。
【００７２】
【表４】
2013520551.tif 000005
【００７３】
（１）抗菌活性ジアミン界面活性剤はレオシド（ＲＥＷＯＣＩＤ）ＷＫ（３０％活性）である。
【００７４】
本文に開示されている発明の実施形態が現在好ましいとされているが、発明の範囲から離れること無く、様々な変更や修正を加えることが可能である。発明の範囲は添付の特許請求の範囲に記載されており、等価物の意味及び範囲に含まれる全ての変更は本発明に包含されることが意図されている。
【国際調査報告】
2013520551.tif 000006
2013520551.tif 000007
2013520551.tif 000008